(57)【特許請求の範囲】
【請求項１】
開放型磁気共鳴イメージング磁石に於いて、
（ａ）ほぼ環状の超伝導性の第１の主コイルを含むほぼドーナツ形の超伝導性の第１のコイル組立体、
（ｂ）上記第１のコイル組立体から隔たって配置された、ほぼ環状の超伝導性の第２の主コイルを含むほぼドーナツ形の超伝導性の第２のコイル組立体、
（ｃ）各々が上記第１のコイル組立体に取り付けられた第１の端と上記第２のコイル組立体に取り付けられた第２の端を持つ、相隔たって配置されたほぼ平行な複数のコイル組立体間ポスト、
（ｄ）上記第１のコイル組立体から隔たって上記コイル組立体間ポスト側とは反対側に配置されたほぼ環状の超伝導性の第１の遮蔽組立体であって、内径が上記第１の主コイルの外径より大きいほぼ環状の超伝導性の第１の遮蔽コイルを含む第１の遮蔽組立体、
（ｅ）各々が上記第１のコイル組立体に取り付けられた一端と上記第１の遮蔽組立体に取り付けられたもう１つの端を持つ、相隔たって配置された複数の第１の組立体ポスト、
（ｆ）上記第２のコイル組立体から隔たって上記コイル組立体間ポスト側とは反対側に配置されたほぼ環状の超伝導性の第２の遮蔽組立体であって、内径が上記第２の主コイルの外径より大きいほぼ環状の超伝導性の第２の遮蔽コイルを含む第２の遮蔽組立体、および
（ｇ）各々が上記第２のコイル組立体に取り付けられた一端と上記第２の遮蔽組立体に取り付けられたもう１つの端を持つ、相隔たって配置された複数の第２の組立体ポストを含み、上記第１および第２のコイル組立体、及び上記第１および第２の遮蔽組立体のすべてがほぼ同軸に順次整列していることを特徴とする開放型磁気共鳴イメージング磁石。
【請求項２】
上記第１の遮蔽組立体が、上記第１の遮蔽コイルを支持する第１の遮蔽コイル枠を含み、上記第１のコイル組立体が、上記第１の主コイルを支持する第１の主コイル枠を含み、少なくとも１つの上記第１の組立体ポストが、上記第１の遮蔽コイル枠および上記第１の主コイル枠に熱接触する第１の中心部材を含む請求項１記載の開放型磁気共鳴イメージング磁石。
【請求項３】
上記第１の遮蔽組立体が、上記第１の遮蔽コイルおよび上記第１の遮蔽コイル枠から隔たって、上記第１の遮蔽コイルおよび上記第１の遮蔽コイル枠をほぼ取り囲むように配置された熱遮蔽体を含み、上記第１のコイル組立体が、上記第１の主コイルおよび上記第１の主コイル枠から隔たって、上記第１の主コイルおよび上記第１の主コイル枠をほぼ取り囲むように配置された熱遮蔽体を含み、上記の少なくとも１つの第１の組立体ポストが、上記第１の中心部材から隔たって上記第１の中心部材をほぼ取り囲むように配置され、且つ上記第１の遮蔽組立体の上記熱遮蔽体および上記第１のコイル組立体の上記熱遮蔽体と熱接触するように配置された熱遮蔽体を含む請求項２記載の開放型磁気共鳴イメージング磁石。
【請求項４】
上記第１の遮蔽組立体が、上記第１の遮蔽組立体の上記熱遮蔽体からほぼ隔たって上記第１の遮蔽組立体の上記熱遮蔽体をほぼ取り囲むように配置されたハウジングを含み、上記第１のコイル組立体が、上記第１のコイル組立体の上記熱遮蔽体から隔たって上記第１のコイル組立体の上記熱遮蔽体をほぼ取り囲むように配置されたハウジングを含み、上記の少なくとも１つの第１の組立体ポストが、上記の少なくとも１つの第１の組立体ポストの上記熱遮蔽体から隔たって上記の少なくとも１つの第１の組立体ポストの上記熱遮蔽体をほぼ取り囲むように配置され、且つ上記第１の遮蔽組立体の上記ハウジングおよび上記第１のコイル組立体の上記ハウジングと熱接触するように配置されたハウジングを含む請求項３記載の開放型磁気共鳴イメージング磁石。
【請求項５】
更に、上記第１のコイル組立体の上記ハウジングに取り付けられたハウジング、上記第１のコイル組立体の上記熱遮蔽体と熱接触する第１段、および上記第１のコイル組立体の上記第１の主コイル枠と熱接触する第２段を有する低温冷却器のコールドヘッドが設けられている請求項４記載の開放型磁気共鳴イメージング磁石。
【請求項６】
上記コイル組立体間ポストの少なくとも１つが、上記第１の主コイル枠と熱接触する内側部材を有する請求項５記載の開放型磁気共鳴イメージング磁石。
【請求項７】
上記の少なくとも１つのコイル組立体間ポストが、上記内側部材から隔たって配置されて上記内側部材をほぼ取り囲み、且つ上記第１のコイル組立体の上記熱遮蔽体と熱接触する熱遮蔽体を有する請求項６記載の開放型磁気共鳴イメージング磁石。
【請求項８】
上記の少なくとも１つのコイル組立体間ポストが、上記の少なくとも１つのコイル組立体間ポストの上記熱遮蔽体から隔たって配置されて上記の少なくとも１つのコイル組立体間ポストの熱遮蔽体をほぼ取り囲み、且つ上記第１のコイル組立体の上記ハウジングと熱接触するハウジングを有する請求項７記載の開放型磁気共鳴イメージング磁石。
【請求項９】
上記コイル組立体間ポストに対してほぼ垂直に伸びていて、上記第１のコイル組立体と上記第２のコイル組立体からほぼ等距離の所にある平面に対して、上記第２のコイル組立体が上記第１のコイル組立体とほぼ鏡像関係にあり、上記平面に対して上記第２の遮蔽組立体が上記第１の遮蔽組立体とほぼ鏡像関係にあり、上記平面に対して上記複数の第２の組立体ポストが上記複数の第１の組立体ポストとほぼ鏡像関係にある請求項８記載の開放型磁気共鳴イメージング磁石。
【請求項１０】
上記第１のコイル組立体が第１のバッキングコイルを含み、上記第１の主コイルがほぼ４１４６００アンペアターンであり、上記第１の遮蔽コイルがほぼ１１８６８０アンペアターンであり、上記第１のバッキングコイル５０がほぼ１０４４００アンペアターンであり、上記第１の主コイルは平均半径がほぼ３６．０ｃｍであって、上記第２の主コイル４２から縦方向に平均距離がほぼ１２０．６ｃｍのところに配置されており、上記第１の遮蔽コイルは上記第１の主コイルから半径方向外側に平均距離がほぼ３５．３ｃｍで、縦方向外側に平均距離がほぼ３９．０ｃｍのところに配置されており、上記第１のバッキングコイルは上記第１の主コイルから半径方向内側に平均距離がほぼ１５．１ｃｍで、縦方向内側に平均距離がほぼ６．８ｃｍのところに配置されている請求項９記載の開放型磁気共鳴イメージング磁石。
【発明の詳細な説明】
【０００１】
【産業上の利用分野】
本発明は一般に、磁気共鳴イメージング（ＭＲＩ）診断システムの一部として一様な磁界を発生するために使用される開放型超伝導磁石に関するものであり、更に詳しくは磁石から発生する漂遊磁界から磁石のまわりの領域を防護するための超伝導遮蔽体を有する開放型磁石に関するものである。
【０００２】
【従来の技術】
超伝導磁石または他の型の磁石を用いるＭＲＩシステムは、医用診断のような種々の分野で使用される。公知の超伝導磁石には、液体ヘリウムで冷却される超伝導磁石および低温冷却器で冷却される超伝導磁石がある。通常、低温冷却器で冷却される磁石の場合、超伝導コイル組立体が超伝導主コイルを含み、超伝導主コイルは熱遮蔽体によって取り囲まれ、熱遮蔽体は真空エンクロージャによって取り囲まれている。低温冷却器のコールドヘッドが外部で真空エンクロージャに取り付けられ、コールドヘッドの第１段が熱遮蔽体と熱的に接触し、第２段が超伝導主コイルと熱的に接触している。
【０００３】
公知の超伝導磁石の設計では、閉鎖型磁石と開放型磁石がある。閉鎖型磁石は通常、内腔（ｂｏｒｅ）を持つ単一の管状の超伝導コイル組立体を有する。この超伝導コイル組立体は、半径方向に整列し且つ縦方向に間隔を置いて配置された複数の超伝導主コイルを含み、その各々は同一方向に等しい大電流を通す。このように設計された超伝導主コイルは、イメージング対象物が配置される磁石の内腔内に中心合わせされた球形のイメージング容積の中に非常に一様な磁界を作成する。主コイルにより発生された主コイルの周りの高磁界が磁石近傍の電子装置に悪影響を及ぼさないように、単一の管状の超伝導遮蔽組立体が使用される。このような遮蔽組立体は、半径方向に整列し且つ縦方向に間隔を置いて配置された複数の超伝導遮蔽コイルを含む。各超伝導遮蔽コイルは、主コイルの半径方向外側に配置され、主コイルに流れる電流とほぼ等しいアンペア数で、方向が逆の電流を通す。
【０００４】
開放型磁石では、通常、隔たって配置された２つの超伝導コイル組立体が用いられる。組立体相互の間に空間があるので、ＭＲＩイメージングの間、医者が手術や他の医用手順のために接近することができる。患者はその空間に配置してもよく、あるいはドーナツ形のコイル組立体の内腔に配置してもよい。開放空間は、閉鎖型磁石で生じ得る閉所恐怖感を患者が克服するのを助ける。開放型磁石を受動的に遮蔽することもできるが、そうすると磁石の開放性が失われる。そこで（磁石の代わりに）部屋を遮蔽してもよいが、それはコストが高過ぎて、多くの設備では考慮されることはない。
【０００５】
【発明の概要】
本発明の目的は、超伝導遮蔽体を有する開放型超伝導ＭＲＩ磁石を提供することである。
本発明の開放型磁気共鳴イメージング磁石は、ほぼ環状の超伝導性の第１の主コイルを含むほぼドーナツ形の超伝導性の第１のコイル組立体、第１のコイル組立体から隔たって配置された、ほぼ環状の超伝導性の第２の主コイルを含むほぼドーナツ形の超伝導性の第２のコイル組立体、および各々が第１のコイル組立体に取り付けられた第１の端と第２のコイル組立体に取り付けられた第２の端とを持つ、相隔たって配置されたほぼ平行な少なくとも２つのコイル組立体間ポストを含む。磁石はまた、第１のコイル組立体から隔たってコイル組立体間ポスト側とは反対側に配置されたほぼ環状の超伝導性の第１の遮蔽組立体を含み、この第１の遮蔽組立体は内径が第１の主コイルの外径より大きいほぼ環状の超伝導性の第１の遮蔽コイルを含む。磁石は更に、各々が第１のコイル組立体に取り付けられた第１の端と第１の遮蔽組立体に取り付けられた第２の端とを持つ、相隔たって配置された少なくとも２つの第１の組立体ポストを含む。磁石は更に、第２のコイル組立体から隔たってコイル組立体間ポスト側とは反対側に配置されたほぼ環状の超伝導性の第２の遮蔽組立体を含み、この第２の遮蔽組立体は内径が第２の主コイルの外径より大きいほぼ環状の超伝導性の第２の遮蔽コイルを含む。磁石は更にまた、各々が第２のコイル組立体に取り付けられた第１の端と第２の遮蔽組立体に取り付けられた第２の端１を持つ、相隔たって配置された少なくとも２つの第２の組立体ポストを含む。第１および第２のコイル組立体、主コイル、第１および第２の遮蔽組立体ならびに遮蔽コイルのすべてがほぼ同軸に整列している。
【０００６】
本発明からいくつかの利益および利点が得られる。（超伝導遮蔽コイルを有する）環状の遮蔽コイル組立体および各超伝導コイル組立体に取り付けられた隔たって配置された組立体ポストの設計によって、磁石の開放性を維持しつつ、遮蔽された開放型ＭＲＩ磁石が得られる。このような開放性によって、ＭＲＩイメージングの間、医師が手術等の医用手順のために接近することができるとともに、閉鎖型磁石設計で生じ得る閉所恐怖感を患者が克服することが助けられる。
【０００７】
【詳しい説明】
付図は本発明の実施例を示す。図を通じて、同じ参照番号は同じ素子を表す。図１および図２は本発明の開放型磁気共鳴イメージング（ＭＲＩ）磁石１０を示す。磁石１０は、ほぼドーナツ形の第１の超伝導コイル組立体１２、第１の超伝導コイル組立体１２から隔たって配置されたほぼドーナツ形の第２の超伝導コイル組立体１４、および相隔たって配置されたほぼ平行な複数（好ましくは４個）のコイル組立体間ポスト１６を含む。各コイル組立体間ポスト１６は、第１のコイル組立体１２に取り付けられた第１の端１８、および第２のコイル組立体１４に取り付けられた第２の端２０を有する。磁石１０はまた、第１のコイル組立体１２から隔たってコイル組立体間ポスト１６側とは反対側に配置されたほぼ環状の第１の超伝導遮蔽組立体２２、ならびに相隔たって配置された複数（好ましくは６個）の第１の組立体ポスト２４を含む。第１の組立体ポスト２４の各々は、その一端２６が第１のコイル組立体１２に取り付けられ、もう１つの端２８が第１の遮蔽組立体２２に取り付けられている。磁石１０は更に、第２のコイル組立体１４から隔たってコイル組立体間ポスト１６側とは反対側に配置されたほぼ環状の第２の超伝導遮蔽組立体３０、ならびに相隔たって配置された複数（好ましくは６個）の第２の組立体ポスト３２も含む。第２の組立体ポスト３２の各々は、その一端３４が第２のコイル組立体１４に取り付けられ、もう１つの端３６が第２の遮蔽組立体３０に取り付けられている。
【０００８】
第１のコイル組立体１２はほぼ環状の第１の超伝導主コイル３８を含み、第１の遮蔽組立体２２は内径が第１の主コイル３８の外径より大きいほぼ環状の第１の超伝導遮蔽コイル４０を含む。同様に、第２のコイル組立体１４はほぼ環状の第２の超伝導主コイル４２を含み、第２の遮蔽組立体３０は内径が第２の主コイル４２の外径より大きいほぼ環状の第２の超伝導遮蔽コイル４４をむ。第１のコイル組立体１２、第２のコイル組立体１４、主コイル３８および４２、第１の遮蔽組立体２２、第２の遮蔽組立体３０、遮蔽コイル４０および４４はすべて、ほぼ同軸に整列していて、共通の縦軸４６を有する。開放型ＭＲＩ磁石１０の（図２に点線で示された）イメージング容積４８の中の磁界の不均一度を医用イメージングに許容できるレベルまで小さくするために、第１のコイル組立体１２には第１のバッキング（ｂｕｃｋｉｎｇ）コイル５０が付加的に含まれ、第２のコイル組立体１４には第２のバッキングコイル５２が付加的に含まれている。
【０００９】
第１の主コイル３８は第１の方向に電流を通す。「第１の方向」は、縦軸４６を中心として時計方向または反時計方向の内の一方の円周方向と定義される。ただし、電流方向の僅かな縦方向成分は無視される。第１の遮蔽コイル４０（と第１のバッキングコイル５０）は、第１の方向とは逆の方向に（すなわち、第１の主コイル３８が通す電流の方向とは逆の方向に）電流を通す。第２の主コイル４２は、第１の主コイル３８の電流の方向と同じ方向に電流を通す。第２の遮蔽コイル４４は、第１の遮蔽コイル４０の電流の方向と同じ方向に電流を通す。第２のバッキングコイル５２は、第１のバッキングコイル５０の電流の方向と同じ方向に電流を通す。これらの電流はすべて、アンペア数がほぼ等しいことが好ましい。
【００１０】
第１のコイル組立体１２は、第１の主コイル３８（ならびに第１のバッキングコイル５０）を支持する第１の主コイル枠５４、第１の主コイル３８および第１の主コイル枠５４からほぼ隔たって配置されて第１の主コイル３８および第１の主コイル枠５４をほぼ取り囲む熱遮蔽体５６、および第１のコイル組立体１２の熱遮蔽体５６から隔たって配置されて該熱遮蔽体５６をほぼ取り囲むハウジング５８を有する。第１の遮蔽組立体２２は、第１の遮蔽コイル４０を支持する第１の遮蔽コイル枠６０、第１の遮蔽コイル４０および第１の遮蔽コイル枠６０から隔たって配置されて第１の遮蔽コイル４０および第１の遮蔽コイル枠６０をほぼ取り囲む熱遮蔽体６２、および第１の遮蔽組立体２２の熱遮蔽体６２から隔たって配置されて該熱遮蔽体６２をほぼ取り囲むハウジング６４を有する。第１の組立体ポスト２４の少なくとも１個（好ましくは全部）は、第１の遮蔽コイル枠６０および第１の主コイル枠５４と熱接触する第１の中心部材６６、第１の中心部材６６から隔たって配置されて第１の中心部材６６をほぼ取り囲み、且つ第１の遮蔽組立体２２の熱遮蔽体６２および第１のコイル組立体１２の熱遮蔽体５６と熱接触する熱遮蔽体６８、および少なくとも１個の第１の組立体ポスト２４の熱遮蔽体６８から隔たって配置されて熱遮蔽体６８をほぼ取り囲み、且つ第１の遮蔽組立体２２のハウジング６４および第１のコイル組立体１２のハウジング５８と熱接触するハウジング７０を含む。
【００１１】
第２のコイル組立体１４は、平面７２（その縁が図２に破線で示されている）に対して第１のコイル組立体１２のほぼ鏡像である。平面７２は、コイル組立体間ポスト１６に対して（そして縦軸４６に対して）ほぼ垂直であり、第１のコイル組立体１２と第２のコイル組立体１４から等距離の所に位置する。同様に、第２の遮蔽組立体３０は、平面７２に対して第１の遮蔽組立体２２のほぼ鏡像である。また相隔たって配置された複数の第２の組立体ポスト３２も、平面７２に対して、相隔たって配置された複数の第１の組立体ポスト２４のほぼ鏡像になっている。
【００１２】
やはり磁石１０の一部を構成する、たとえばギフォド・マクマホン（Ｇｉｆｆｏｒｄ−ＭｃＭａｈｏｎ）低温冷却器のような低温冷却器のコールドヘッド７４が、第１のコイル組立体１２のハウジング５８に取り付けられたハウジング７６を含む。低温冷却器のコールドヘッド７４は、第１段７８および第２段８０を有する。第１段７８は、第１のコイル組立体１２の熱遮蔽体５６と熱接触し、ほぼ４０ケルビンの温度に維持される。第２段８０は、第１のコイル組立体１２の第１の主コイル枠５４と熱接触し、ほぼ１０ケルビンの温度に維持される。
【００１３】
コイル組立体間ポスト１６の少なくとも１個（好ましくは全部）は、第１の主コイル枠５４と熱接触する内側部材８２を有する。この少なくとも１個のコイル組立体間ポスト１６は、内側部材８２から隔たって配置されて内側部材８２をほぼ取り囲み、且つ第１のコイル組立体１２の熱遮蔽体５６と熱接触する熱遮蔽体８４も有する。この少なくとも１個のコイル組立体間ポスト１６は更に、この少なくとも１個のコイル組立体間ポスト１６の熱遮蔽体８４から隔たって配置されて該熱遮蔽８４をほぼ取り囲み、且つ第１のコイル組立体１２のハウジング５８と熱接触するハウジング８６も有する。床取付台８８が磁石１０を支持する。
【００１４】
真空エンクロージャが、第１の遮蔽組立体２２のハウジング６４、第１の組立体ポスト２４のハウジング７０、第１のコイル組立体１２のハウジング５８、コイル組立体間ポスト１６のハウジング８６、ならびに上述の鏡像関係にある第２のコイル組立体１４、第２の組立体ポスト３２および第２の遮蔽組立体３０の対応するハウジング（図２に示されているが、参照番号は付されていない）の組み合わせによって形成される。熱遮蔽体の配列体が、第１の遮蔽組立体２２の熱遮蔽体６２、第１の組立体ポスト２４の熱遮蔽体６８、第１のコイル組立体１２の熱遮蔽体５６、コイル組立体間ポスト１６の熱遮蔽体８４、ならびにそれぞれ鏡像関係にあるの第２のコイル組立体１４、第２の組立体ポスト３２および第２の遮蔽組立体３０の対応する熱遮蔽体（図２に示されているが、参照番号は付されていない）の組み合わせによって形成される。熱導体構造が、第１の遮蔽組立体２２の第１の遮蔽コイル枠６０、第１の組立体ポスト２４の第１の中心部材６６、第１のコイル組立体１２の第１の主コイル枠５４、コイル組立体間ポスト１６の内側部材８２、ならびに上述の鏡像関係にある第２のコイル組立体１４、第２の組立体ポスト３２および第２の遮蔽組立体３０の対応する部材（図２に示されているが、参照番号は付されていない）の組み合わせによって形成される。
【００１５】
超伝導コイル３８、４０、５０、４２、４４および５２は、途切れのない一本の（並列の銅の安定化部材が付加された）ＮｂＳｎ超伝導テープで構成することが好ましい（あるいは、あまり望ましくはないが、複数本のテープを超伝導継手で一緒に接続して構成する）。このようなテープは、超伝導コイル３８、４０、５０、４２、４４および５２のすべてを単一の電気経路として一緒に形成するように巻かれる。通常、第１の主コイル枠５４はガラス繊維で構成され（それに、図示しないアルミニウムリングが、熱伝導を行い、且つ大形の主コイル３８および４２にかかる半径方向外向きの電磁力に対する支持を行うために設けられ）、また第１の遮蔽コイル枠６０は非磁性ステンレス鋼で構成される。通常、第１の組立体ポスト２４の第１の中心部材６６およびコイル組立体間ポスト１６の内側部材８２は銅で構成され、熱遮蔽体６２、６８、５６、および８４はアルミニウムで構成され、ハウジング６４、７０、５８および８６は非磁性ステンレス鋼で構成される。互いに隔たって配置された種々の素子（たとえば、第１の主コイル枠５４から隔たって配置された熱遮蔽体５６）は（図示していない、通常ガラス繊維で構成される）熱絶縁管等によって隔てられる。必要に応じて、（図示していない、通常、銅またはアルミニウムで構成される）熱伝導性のリング、プレート、帯等を付加してもよく、これにより、単一の低温冷却器のコールドヘッド７４の第２段８０が超伝導コイル３８、４０、５０、４２、４４および５２のすべてから（ならびに前に説明した熱導体構造から）熱を除去するための熱経路が得られる。注意すべきことは、第２のコイル組立体１４および第２の遮蔽組立体３０の超伝導コイル４２、４４および５２を冷却するために別個の低温冷却器のコールドヘッドが必要とされないということである。
【００１６】
本発明の磁石１０のコンピュータシミュレーションを行った。これは、直径が２５センチメートルの球形イメージング容積の中にピーク・ピーク磁界不均一度が７．４ｐｐｍの０．３テスラの磁界を発生するように設計された２５００ポンドの磁石に対して行った。当業者の技術の範囲内にあるような従来の磁界解析とともに、本明細書で前に開示された本発明の原理を使用して、本発明者はこの特定の磁石１０のための遮蔽体の設計を行った。第１の主コイル３８はほぼ４１４６００アンペアターン、第１の遮蔽コイル４０はほぼ１１８６８０アンペアターン、そして第１のバッキングコイル５０はほぼ１０４４００アンペアターンとした。第１の主コイル３８は平均半径がほぼ３６．０ｃｍであり、第２の主コイル４２から縦方向に平均距離がほぼ１２０．６ｃｍのところに配置した。第１の遮蔽コイル４０は第１の主コイル３８から半径方向外側に平均距離がほぼ３５．３ｃｍで、縦方向外側に平均距離がほぼ３９．０ｃｍのところに配置した。第１のバッキングコイル５０は第１の主コイル３８から半径方向内側に平均距離がほぼ１５．１ｃｍで、縦方向内側に平均距離がほぼ６．８ｃｍのところに配置した。「平均半径」とは内側半径と外側半径との和の半分である。２つのコイルの間の「平均距離」とは各コイルの中の円の間の最も近い距離であり、この円はその中心がコイルの縦方向の境界から等距離のコイルの縦軸上に位置し、円の半径がコイルの平均半径に等しい円である。コンピュータシミュレーションの示すところによれば、本発明による遮蔽を行った場合には、５ガウスの漂遊磁界が磁石１０のイメージング容積４８の中心から縦方向距離２．５ｍで、半径方向距離３．５ｍのところに位置していた。本発明のこのような遮蔽が無かった場合には、５ガウスの漂遊磁界が磁石１０のイメージング容積４８の中心から縦方向距離７．６ｍで、半径方向距離６．２ｍのところに位置していた。本発明による有効な超伝導磁気遮蔽により、液体冷凍剤を使用せず、医用検査室に開放型磁石１０を配置することが容易となり、開放型磁石設計の開放性が維持される。
【００１７】
本発明の上記の実施例は、説明のため例示したものであり、すべてを網羅したものでは無く、また開示された細部に本発明を限定するものでもない。上記の教示を参考にして多数の変形および変更を行えることは明らかである。本発明の範囲は、特許請求の範囲の記載により定められる。
【図面の簡単な説明】
【図１】本発明による超伝導遮蔽体を含む開放型超伝導ＭＲＩ磁石の斜視図であり、わかりやすくするため、磁石に関連する低温冷却器のコールドヘッドおよび床取付台を省略して示してある。
【図２】低温冷却器のコールドヘッドおよび床取付台を付加した図１のＭＲＩ磁石の概略側面断面図である。
【符号の説明】
１０  開放型磁気共鳴イメージング磁石
１２  第１の超伝導コイル組立体
１４  第２の超伝導コイル組立体
１６  コイル組立体間のポスト
１８  コイル組立体間ポストの第１の端
２０  コイル組立体間ポストの第２の端
２２  第１の超伝導遮蔽組立体
２４  第１の組立体ポスト
２６，２８  第１の組立体ポストの端
３０  第２の超伝導遮蔽組立体
３２  第２の組立体ポスト
３４，３６  第２の組立体ポストの端
３８  第１の超伝導主コイル
４０  第１の超伝導遮蔽コイル
４２  第２の超伝導主コイル
４４  第２の超伝導遮蔽コイル
５０  第１のバッキングコイル
５４  第１の主コイル枠
５６  第１のコイル組立体の熱遮蔽体
５８  第１のコイル組立体のハウジング
６０  第１の遮蔽コイル枠
６２  第１の遮蔽組立体の熱遮蔽体
６４  第１の遮蔽組立体のハウジング
６６  第１の中心部材
６８  第１の組立体ポストの熱遮蔽体
７０  第１の組立体ポストのハウジング
７２  平面
７４  低温冷却器のコールドヘッド
７６  コールドヘッドのハウジング
７８  コールドヘッドの第１段
８０  コールドヘッドの第２段
８２  内側部材
８４  コイル組立体間ポストの熱遮蔽体
８６  コイル組立体間ポストのハウジング
【図１】
0003673556.tif 000002
【図２】
0003673556.tif 000003